(57)【特許請求の範囲】
【請求項１】
吸込口と吹出口とが形成された外箱と、
前記外箱の側部に配設され天井面又は壁面から前記外箱を支持する取付板と、
前記外箱に収納され前記吸込口から前記吹出口へ送風する羽根を駆動する電動機と、
前記外箱の天面からの高さを有して前記外箱の天面に対して傾斜した傾斜面と、前記電動機に電力を供給する電源線を接続する挿入口を備えて前記傾斜面の上に設置された接続端子とを有する端子台と、
前記接続端子を覆うカバーとを備え、
前記吹出口は、前記外箱の正面側に形成されており、
前記傾斜面は、前記外箱の正面側において前記外箱の天面からの高さが小さく、
前記接続端子が、前記傾斜面の前記外箱の天面からの高さが小さい側に前記挿入口を向けて設置され、
前記カバーの前記端子台への装着方向及び前記カバーを前記端子台に固定するねじのねじ止め方向は、前記電源線を前記挿入口に挿入する方向と同じであることを特徴とする送風機。
【請求項２】
前記端子台は、前記電源線を前記挿入口に挿入する方向へ前記カバーを案内するガイドを備えることを特徴とする請求項１に記載の送風機。
【請求項３】
前記傾斜面の前記外箱の天面からの高さは、前記接続端子の前記電源線の挿入口側ほど低いことを特徴とする請求項１又は２に記載の送風機。
【請求項４】
前記外箱の天面上で前記傾斜面を支持する脚部を有し、前記傾斜面と前記外箱の天面との間に隙間が形成されていることを特徴とする請求項１から３のいずれか１項に記載の送風機。
【請求項５】
前記脚部は、前記傾斜面の上端側の辺及び下端側の辺を挟む２辺に設けられていることを特徴とする請求項４に記載の送風機。
【請求項６】
前記接続端子は、前記挿入口に挿入された前記電源線をはさみ込んで保持する速結端子であることを特徴とする請求項１から５のいずれか１項に記載の送風機。
【請求項７】
前記速結端子は、はさみ込んだ前記電源線を解放する解除ボタンを備え、該解除ボタンは、前記電源線を前記挿入口に挿入する方向へ押下されると作動することを特徴とする請求項６に記載の送風機。
【請求項８】
前記取付板は、前記外箱を鉛直方向に回動可能に支持することを特徴とする請求項１から７のいずれか１項に記載の送風機。
【発明の詳細な説明】
【技術分野】
【０００１】
本発明は、屋内の天井面又は壁面に設置される送風機に関する。
【背景技術】
【０００２】
空調装置又は換気扇といった設備機器は、電源線を接続する端子台を備えているものが多い。端子台を備える設備機器の一例には、外箱の天面に端子台を備えた浴室換気乾燥暖房機を挙げることができる（特許文献１）。また、端子台を備えず、接続端子が外箱の天面に直接固定される構造が取られることもある。
【先行技術文献】
【特許文献】
【０００３】
【特許文献１】特開２００９−２７５９４０号公報
【発明の概要】
【発明が解決しようとする課題】
【０００４】
上記従来の技術によれば、外箱の天面に直接接続端子を固定するか、又は天面に端子台を設けている。このため、雨漏り又は結露によって外箱の天面に溜まった水が接続端子の接点部に浸入し、短絡が生じる可能性があるという問題があった。
【０００５】
本発明は、上記に鑑みてなされたものであって、外箱の天面側に設けた接続端子の接点部へ水が浸入することを抑制した送風機を得ることを目的とする。
【課題を解決するための手段】
【０００６】
上述した課題を解決し、目的を達成するために、本発明は、吸込口と吹出口とが形成された外箱と、外箱の側部に配設され天井面又は壁面から外箱を支持する取付板と、外箱に収納され吸込口から吹出口へ送風する羽根を駆動する電動機と、外箱の天面からの高さを有して外箱の天面に対して傾斜した傾斜面と、電動機に電力を供給する電源線を接続する挿入口を備えて傾斜面の上に設置された接続端子とを有する端子台とを備え、接続端子が、傾斜面の外箱の天面からの高さが小さい側に挿入口を向けて設置されたことを特徴とする。
【発明の効果】
【０００７】
本発明によれば、外箱の天面側に設けた接続端子の接点部へ水が浸入することを抑制できるという効果を奏する。
【図面の簡単な説明】
【０００８】
【図１】本発明の実施の形態１にかかる送風機の斜視図
【図２】実施の形態１にかかる送風機の正面図
【図３】実施の形態１にかかる送風機の背面図
【図４】実施の形態１にかかる送風機の取付板の固定状態を示す図
【図５】実施の形態１にかかる送風機の端子部をカバーを透過して見た図
【図６】実施の形態１にかかる送風機の端子部を側方から見た状態を示す図
【図７】実施の形態１にかかる送風機の速結端子に電源線を接続する様子を示す図
【図８】実施の形態１にかかる送風機の端子台にカバーを固定する様子を示す斜視図
【図９】実施の形態１にかかる送風機の端子台にカバーを固定する様子を示す上面図
【図１０】本発明の実施の形態２にかかる送風機の端子台の斜視図
【発明を実施するための形態】
【０００９】
以下に、本発明の実施の形態にかかる送風機を図面に基づいて詳細に説明する。なお、この実施の形態によりこの発明が限定されるものではない。
【００１０】
実施の形態１．
図１は、本発明の実施の形態１にかかる送風機の斜視図である。図２は、実施の形態１にかかる送風機の正面図である。図３は、実施の形態１にかかる送風機の背面図である。送風機１００は、外郭を構成する外箱１を有する。外箱１の正面には吹出口２が形成されており、外箱１の背面には吸込口５が形成されている。吹出口２は、上下２段に形成されており、図１中に矢印Ａで示すように、吹出口２の上段２Ａ及び下段２Ｂから空気を吹き出す。外箱１は、両端部に取り付けられた取付板３によって天井から吊り下げられるように設置される。なお、送風機１００は、天井ではなく壁面に設置されても良い。
【００１１】
送風機１００は、外箱１に収納されて吸込口５から吹出口２へ送風する羽根６と、羽根６を駆動する電動機７と、後述する端子台１１とを有する。
【００１２】
実施の形態１においては、不図示の天井面に下方に向かって設置される一対の取付板３が、外箱１の両端部を回動自在に軸支している。このため、送風機１００は、図１中に矢印Ｂで示すように、外箱１を回動させることによって風向を変更可能である。
【００１３】
図４は、実施の形態１にかかる送風機の取付板の固定状態を示す図である。取付板３は、外箱１を回動可能に支持しており、本体部３ａに設けられた貫通穴３ｃを通して支持ボルト８が外箱１の側面にねじ止めされることによって外箱１の向きが固定される。本体部３ａには、複数の角度調整穴３ｂが円弧上に形成されている。角度調整穴３ｂは、等間隔の角度ピッチで設けられていても良いし、不等間隔の角度ピッチで設けられていても良い。一例を挙げると、１１．２５°ピッチで角度調整穴３ｂを設けることにより、円弧上に３２個の角度調整穴３ｂを形成できる。送風機１００は、角度調整ボルト９を角度調整穴３ｂに止めることにより、吹出口２が向く方向を変えて設置可能である。
【００１４】
図５は、実施の形態１にかかる送風機の端子台をカバーを透過して見た図である。図６は、実施の形態１にかかる送風機の端子台を側方から見た状態を示す図である。端子台１１は、電動機７に電力を供給する電源線１２を電動機７と電気的に接続する速結端子１０を備えている。端子台１１は、外箱１の天面との間に隙間を有するとともに、外箱１の天面に対して傾きを有する傾斜面１１ａを有する。傾斜面１１ａの上端側の辺には脚部１１ｃが形成されており、傾斜面１１ａの下端側の辺には脚部１１ｄが形成されている。速結端子１０は、電動機７に電力を供給する電源線１２を電動機７に接続する挿入口１０ａを備えている。
【００１５】
傾斜面１１ａは、外箱１の前方が低く後方が高くなるように傾斜している。すなわち、傾斜面１１ａと外箱１の天面との間の隙間は、速結端子１０の電源線の挿入口１０ａ側ほど小さくなっている。速結端子１０は、外箱１の天面に対して浮いた状態になっている。すなわち、傾斜面１１ａの外箱１の天面からの高さは、接続端子である速結端子１０の電源線の挿入口１０ａ側ほど低くなっている。傾斜面１１ａは、脚部１１ｃの高さと脚部１１ｄの高さとが異なることによって、外箱１の天面に対して傾きを有している。速結端子１０は、傾斜面１１ａの天面からの高さが小さい方、換言すると外箱１の前面に挿入口１０ａを向けて設置されている。
【００１６】
このように、端子台１１は、外箱１の天面からの高さを有し、外箱１の天面に対して傾斜した傾斜面１１ａと、電動機７に電力を供給する電源線１２を電動機７に接続する挿入口１０ａを備えた速結端子１０とを有する。
【００１７】
接続端子である速結端子１０は、接点部である挿入口１０ａに挿入された電源線１２をはさみ込んで保持し、電動機７と電気的に導通させる。端子台１１は、不図示の爪で外箱１の天面に位置決めされた上で、外箱１の天面に不図示のねじで固定されている。なお、端子台１１を外箱１の天面に固定する方法は、これ以外の方法であってもよい。一例を挙げると、端子台１１は、外箱１の天面に溶接されてもよい。速結端子１０は、電源線の挿入口１０ａ側が下った状態で傾斜面１１ａに設置されている。
【００１８】
端子台１１には、カバー４の組立性向上を目的としてガイド１１ｂが一対設けられている。
【００１９】
図７は、実施の形態１にかかる送風機の速結端子に電源線を接続する様子を示す図である。図７中に矢印Ｃで示す方向から電源線１２を挿入口１０ａに挿入することにより、電源線１２が速結端子１０に装着される。速結端子１０は、電源線１２を外す際に、図７中に矢印Ｃで示す電源線１２の挿入方向と同一方向に押下することにより動作する解除ボタン１０ｂを備える。解除ボタン１０ｂを押下すると、速結端子１０に挟み込まれている電源線１２が解放され、電源線１２を電源線の挿入口１０ａから抜くことが可能となる。
【００２０】
図８は、実施の形態１にかかる送風機の端子台にカバーを固定する様子を示す斜視図である。図９は、実施の形態１にかかる送風機の端子台にカバーを固定する様子を示す上面図である。カバー４は、電源線１２を電源線の挿入口１０ａに挿入する方向と同じ方向から一対のガイド１１ｂ間に挿入し、カバー４の電源線１２の挿入側の面をねじ締結面１１ｅにネジ止めすることで固定される。図８中の矢印Ｄ及び図９中の矢印Ｅは、一対のガイド１１ｂ間へカバー４を挿入する方向を示している。
【００２１】
天井付近で作業しにくい場合は、ガイド１１ｂが設けられていないとカバー４の挿入方向が定まらず、端子台１１の段差又は速結端子１０にカバー４が接触してしまい、組立性が悪い。ガイド１１ｂを端子台１１に設けることによって、カバー４をまっすぐ押し込むことができ、作業性が向上する。
【００２２】
また、カバー４を端子台４に挿入する際に、誤ってカバ−４と端子台１１のねじ締結面１１ｅを越えて、速結端子１０側にカバー４を挿入した場合、ガイド１１ｂとカバー４とが干渉し、組み付かないようになっている。
【００２３】
なお、上記の説明においては、接続端子は速結端子１０であるとしたが、接続端子は速結端子でなくてもよい。一例を挙げると、金属板間に電源線１２のワイヤ部を挟んでねじを締めて固定する方式の接続端子を用いることも可能である。
【００２４】
このように、実施の形態１にかかる送風機１００は、速結端子１０が設置される傾斜面１１ａは外箱１の天面からの高さを持つため、雨漏り又は結露によって外箱１の天面に溜まった水が速結端子１０の接点部に浸入することを防ぐことができる。また、傾斜面１１ａは、外箱１の天面に対して傾斜を有するため、端子台１１に水滴が付着しても、速結端子１０の接点部に影響を及ぼす水たまりになる前に、端子台１１の斜面部１１ａによって重力で端子台１１から水滴を落下させることができ、ショートの発生を防止できる。したがって、外箱１の天面側に設けた速結端子１０の電源線の挿入口１０ａへ水が浸入することを抑制できる。
【００２５】
さらに、実施の形態１にかかる送風機１００は、天井面に据え付けた後で電源線１２を接続する必要がある場合、外箱１の天面からの端子台１１の高さが大きくなるように端子台１１を選定し、外箱１の天面と傾斜部１１ａの角度とが大きくなるように天井面に据え付けることにより、送風機１００を下方から見上げながらの電源線１２の接続作業時に、速結端子１０の電源線の挿入口１０ａの視認性が良好となるとともに、送風機１００を見上げる方向と電源線１２を挿入する方向とを一致させることができ、作業性が向上し、誤結線及び接続不良の発生を防止できる。
【００２６】
また、接続端子に速結端子１０を用いることにより、電源線１２の接続作業性が向上する。また、速結端子１０をカバー４で覆うことにより、接点部への埃又は水の浸入、延焼防止の効果があり、さらに、速結端子１０の解除ボタン１０ｂの押下方向と、カバー４の挿入及び固定方向と、速結端子１０への電源線１２の挿入方向とを同じにすることにより、電源線１２の接続又は取り外し作業時に、速結端子１０又はカバー４と天井面との間の作業スペースが狭い場合でも作業性が損なわれない。さらに、端子台１１に設けられているガイド１１ｂは、カバー組立時にカバー４を案内することに加え、カバー４を誤取付するとカバー４に干渉するため、カバー４の誤取付を防止できる。
【００２７】
また、送風機１００の据付場所の状況により速結端子１０又はカバー４と天井との間の作業スペースが狭く、電源線１２の接続作業が困難な場合には、外箱１を回動させることによって、外箱１の天面に設置された端子台１１の位置を変えることができ、施工性を向上させることができる。
【００２８】
実施の形態２．
図１０は、本発明の実施の形態２にかかる送風機の端子台の斜視図である。実施の形態２にかかる送風機１１０は、端子台１１の脚部１１ｃ，１１ｄが、傾斜面１１ａの上端側の辺及び下端側の辺ではなく、上端側の辺及び下端側の辺を挟む２辺に設けられている。脚部１１ｃ，１１ｄは、上辺が取付面に対して傾斜している。この他の点については、実施の形態１にかかる送風機１００と同様である。
【００２９】
送風機１１０では、脚部１１ｃ，１１ｄの面が、外箱１の回動面と平行となっている。従って、外箱１を回動させて、外箱１の天面を傾斜させた状態で送風機１１０を据え付けても、外箱１の天面に付着した水滴が端子台１１を伝って速結端子１０の接点部に浸入することはない。
【００３０】
このように、実施の形態２にかかる送風機１１０は、外箱１の天面を傾斜させた状態で設置した場合には、端子台１１の傾斜面１１ａと外箱１の天面との隙間に水滴を通すことができる。したがって、外箱１の天面に付着した水滴が端子台１１の脚部１１ｃ，１１ｄを伝って速結端子１０が設置されている斜面部１１ａに到達することを防止できる。
【００３１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３２】
１  外箱、２  吹出口、２Ａ  上段、２Ｂ  下段、３  取付板、３ａ  本体部、３ｂ  角度調整穴、３ｃ  貫通穴、４  カバー、５  吸込口、６  羽根、７  電動機、８  支持ボルト、９  角度調整ボルト、１０  速結端子、１０ａ  電源線の挿入口、１０ｂ  解除ボタン、１１  端子台、１１ａ  傾斜面、１１ｂ  ガイド、１１ｃ，１１ｄ  脚部、１１ｅ  ねじ締結面、１２  電源線、１００，１１０  送風機。
【図１】
0006338513.tif 000002
【図２】
0006338513.tif 000003
【図３】
0006338513.tif 000004
【図４】
0006338513.tif 000005
【図５】
0006338513.tif 000006
【図６】
0006338513.tif 000007
【図７】
0006338513.tif 000008
【図８】
0006338513.tif 000009
【図９】
0006338513.tif 000010
【図１０】
0006338513.tif 000011